(57)【要約】      （修正有）【課題】光コネクタ用プラグに関し、フェルールを接続側に付勢する構造を簡易にしてコスト低減することが課題である。【解決手段】光ファイバの一端部を固定するフェルール１７を前方へ付勢する弾性部材１４の後部を受け座で受けて支持するとともに前記光ファイバを後方へと挿通させる貫通孔を有する筒状の支持部材３と、前記支持部材の位置決めをすると共に前記光ファイバを後方へ導出させる導出部を有するストッパ部材４とを一体にしてストップリング５を形成し、該ストップリング５における前記筒状の支持部材３の周壁面には前記光ファイバ１６ａを外側に引き出せるスリット３ｃが前後方向に全長に渡って設けられ、且つ、前記ストップリング５におけるストッパ部材４の導出部４ａには前記支持部材のスリット３ｃと前後方向において全長に渡って連通すると共に半径方向の外側に向けて開口させたスリット４ｂが設けられている光コネクタ用プラグ１とする。【選択図】図１
2006259245.tif 000002
【特許請求の範囲】
【請求項１】
光ファイバの一端部を固定するフェルールと、該フェルールを筒状本体にある隔壁に設けた貫通孔から接続側の前方へ突出させるコネクタハウジングと、前記フェルールを前方へ付勢する弾性部材と、該弾性部材の後部を受け座で受けて支持するとともに前記光ファイバを後方へと挿通させる貫通孔を有する筒状の支持部材と、該支持部材の後方で前記コネクタハウジング内に収納固定され前端面で前記支持部材の位置決めをすると共に前記光ファイバを後方へ導出させる導出部を有するストッパ部材とでなる光コネクタ用プラグにおいて、
前記支持部材と前記ストッパ部材とを一体にしてストップリングが形成され、
該ストップリングにおける前記筒状の支持部材の周壁面には前記光ファイバを外側に引き出せるスリットが前後方向に全長に渡って設けられ、且つ、
前記ストップリングにおけるストッパ部材の導出部には前記支持部材のスリットと前後方向において全長に渡って連通すると共に半径方向の外側に向けて開口させたスリットが設けられていること、  
を特徴とする光コネクタ用プラグ。
【請求項２】
ストップリングにおける筒状の支持部材が、軸芯を中心にして周方向に複数個で配設されていること、
を特徴とする請求項１に記載の光コネクタ用プラグ。
【発明の詳細な説明】
【技術分野】
【０００１】
本発明は、例えば、光コネクタに関し、特に多芯光コネクタ用プラグにおける、フェルールの押さえ構造に関するものである。
【背景技術】
【０００２】
従来、映像等の複数の信号を長距離において伝送損失を少なくして伝送する光ファイバ用多芯光コネクタは、接着剤を使用しないで位置決めピンとガイド部材とにより精度良く、且つ、密閉性を高めた光コネクタが知られている（特許文献１参照）。
【特許文献１】特開平０６−９４９４１号公報
【発明の開示】
【発明が解決しようとする課題】
【０００３】
従来の光コネクタ用プラグにおいては、光ファイバを固定するフェルールに、その接続方向へ所要の押圧力を加える構造が、図９乃至図１１に示すように、コネクタハウジング１１の、接続側を前方として後方側の、断面略矩形状で所要深さの収納部１１ａに、図１０乃至図１１ｃに示すストッパ１２と、図１２に示す筒状のリング１３と、コイルスプリング１４と、前記ストッパ１２固着用のスクリューネジ１５とで構成される。
【０００４】
前記ストッパ１２は、図１０乃至図１１に示すように、その前端面１２ａで前記リング１３を前方に押圧するようになっている。また、外側から中心部に向かって設けられている４箇所のスリット１２ｂは、光ファイバ１６ａを挿通させるためのものである。
【０００５】
更に、中央部には、前後方向に貫通する取付孔１２ｃが設けられ、後方にスクリューネジ１５用の頭収納部１２ｄが設けられ、更に後方に光ファイバ１６ａを束ねる空間部１２ｅが設けられている。前記リング１３は、図１２に示すように、中央部に貫通孔１３ａが設けられ、途中にスプリング１４用の受け座となる段部１３ｂが設けられている。
【０００６】
そして、図９に示すように、フェルール１７の鍔部１７ａに当ててスプリング１４が装着され、その後方にリング１３が装着され、そして、ストッパ１２が収納部１１ａに装着されてスクリューネジ１５で固定する。
【０００７】
これにより、ストッパ１２の前端面１２ａでリング１３が前方に押され、段部１３ｂを介してスプリング１４が前方に押され、フェルール１７が前方に押され、鍔部１７ａの前端面がコネクタハウジング１１の隔壁１１ｂの後壁面に当たって止まる。
【０００８】
光ファイバの接続の際には、相手方のフェルールにより前記フェルール１７が後方に若干押されてスプリング１４に戻しの付勢力が発生した状態で接続され、この接続状態が維持される。
【０００９】
このような構造において、筒状のリング１３とストッパ１２との二つの部品で、スプリング１４を支持して押圧する構造なので、部品点数が多くなると共に、フェルール１７の先端面の研磨作業において、スプリング１４とリング１３とを光ファイバ１６ａに通して装着し研磨しなければならないので、研磨治具の装着構造が複雑になって、コストが嵩むものである。本発明に係る光コネクタ用プラグは、このような課題を解決するために提案されたものである。
【課題を解決するための手段】
【００１０】
本発明に係る光コネクタ用プラグの上記課題を解決して目的を達成するための要旨は、光ファイバの一端部を固定するフェルールと、該フェルールを筒状本体にある隔壁に設けた貫通孔から接続側の前方へ突出させるコネクタハウジングと、前記フェルールを前方へ付勢する弾性部材と、該弾性部材の後部を受け座で受けて支持するとともに前記光ファイバを後方へと挿通させる貫通孔を有する筒状の支持部材と、該支持部材の後方で前記コネクタハウジング内に収納固定され前端面で前記支持部材の位置決めをすると共に前記光ファイバを後方へ導出させる導出部を有するストッパ部材とでなる光コネクタ用プラグにおいて、前記支持部材と前記ストッパ部材とを一体にしてストップリングが形成され、該ストップリングにおける前記筒状の支持部材の周壁面には前記光ファイバを外側に引き出せるスリットが前後方向に全長に渡って設けられ、且つ、前記ストップリングにおけるストッパ部材の導出部には前記支持部材のスリットと前後方向において全長に渡って連通すると共に半径方向の外側に向けて開口させたスリットが設けられていることである。
また、前記ストップリングにおける筒状の支持部材が、軸芯を中心にして周方向に複数個で配設されていることを含むものである。
【発明の効果】
【００１１】
本発明の光コネクタ用プラグによれば、フェルールを支持すると共に接続側の前方に弾性部材を介して付勢し、光ファイバを後方へ導出する支持部材とストッパ部材とが合成樹脂製で一体成形されストップリングとなるので、部品点数が減少し、部品管理も容易となる。光ファイバの一端をフェルールに固定しその端面を研磨する作業において、従来では弾性部材と筒状の支持部材とを光ファイバに他側端部から予め挿通させておく必要があったが、本発明では、弾性部材だけで良く、研磨治具のファイバ固定構造が簡易なものとなってコスト低減できる。
【００１２】
また、光コネクタ用プラグのストップリングではスリットが設けられているので、光ファイバを外側からスリットを通過させて支持部材に挿通させることができる。よって、作業が容易になり、取り外しも容易なので、光ファイバの配線ミスがあっても簡単に入れ替えることができる。
【発明を実施するための最良の形態】
【００１３】
本発明に係る光コネクタ用プラグ１は、従来例と同一のものには同一の符号を付けて説明すると、図１（Ａ），（Ｂ）に示すように、光ファイバ１６ａの一端部を固定するフェルール１７と、該フェルール１７を筒状本体の内部にある隔壁２ａに設けた貫通孔２ｂから接続側の前方へ突出させる筒状のコネクタハウジング２がある。この実施例では、４芯である多芯光コネクタ用プラグであるので、周方向に略均等にして４箇所に配置されている。
【００１４】
そして、前記フェルール１７を前方へ付勢する弾性部材としてのコイルスプリング１４がある。このコイルスプリング１４が有ることで、相手方のフェルールに前記フェルール１７が当接して接続されると、該フェルール１７が若干後方へと後退して前記コイルスプリング１４の付勢力が当接面に作用するものである。
【００１５】
図３乃至図５に示すように、前記弾性部材のコイルスプリング１４の後部を受け座３ａで受けて筒状内部空間に収納して支持するとともに、前記光ファイバ１６ａを後方へと挿通させる貫通孔３ｂを有する筒状の支持部材３と、該支持部材３の後方で前記コネクタハウジング２内に収納固定され、前端面で前記支持部材３の位置決めをすると共に前記光ファイバ１６ａを後方へ導出させる導出部４ａを有するストッパ部材４とがある。前記支持部材３の位置決めは、前記貫通孔２ｂに挿通させたフェルール１７をコイルスプリング１４が若干前方に縮んで押圧し付勢力が作用するように位置決めするものである。
【００１６】
前記支持部材３と前記ストッパ部材４とは、支持部材後端面とストッパ部材前端面とを当接させた状態にて、合成樹脂製で一体に成型されて、ストップリング５となっている。これにより、部品点数が削減されると共に、製造コストも低減される。更に、当該ストップリング５における前記筒状の支持部材３の周壁面には前記光ファイバ１６ａを外側に引き出せるスリット３ｃが前後方向に全長に渡って設けられている。
【００１７】
また、前記ストップリング５におけるストッパ部材４の導出部４ａには、前記支持部材３のスリット３ｃと前後方向において全長に渡って連通すると共に、半径方向の外側に向けて開口させたスリット４ｂが設けられている。
【００１８】
前記スリット３ｃと前記スリット４ｂとが、前後方向に連通して設けられているので、光ファイバ１６ａが前記貫通孔３ｂと導出部４ａとに挿通されフェルール１７から後方に引き出された状態から、例えば、図１（Ａ）では図の上側に引き出すことができる。
【００１９】
これにより、光コネクタ用プラグ１の組立作業中において、逆に、光ファイバ１６ａを外側から前記貫通孔３ｂと導出部４ａとに入れることができる。コネクタハウジング２の隔壁２ａの貫通孔２ｂにフェルール１７を誤挿入した場合でも、一旦、前記ストップリング５を後方に外して、フェルール１７を前記貫通孔２ｂに正しく入れ直しして、光ファイバ１６ａを貫通孔３ｂ・導出部４ａに挿通させるという、やり直し作業が容易となるものである。
【００２０】
また、作業性においても、フェルール１７の研磨作業で光ファイバ１６ａにはコイルスプリング１４だけ装着しておけば良く、研磨治具への取付や段取りも容易になる。
【００２１】
前記ストップリング５の中央部には、前後方向に貫通する取付孔４ｃが設けられ、スクリューネジ１５が図１（Ａ）に示すように挿入される。また、図４及び図５（Ｂ）に示すように、このスクリューネジ１５の頭部を係止する段部４ｄが設けられている。なお、導出部４ａの後方端部には、軸芯に向けて収斂され束ねられる光ファイバ１６ａのキズ付きを防止するために、角部がカットされ面取り部４ｅとなっている。
【００２２】
前記ストップリング５をスクリューネジ１５でコネクタハウジング２に装着することで、図１（Ａ）に示すように、４箇所の支持部材３の受け座３ａでそれぞれコイルスプリング１４を前方に押圧し、各々のコイルスプリング１４を介して各フェルール１７の鍔部１７ａを隔壁２ａに押しつけるものである。
【００２３】
前記コネクタハウジング２は、図６乃至図７に示すように、合成樹脂製の筒状体であり、その内部には、隔壁２ａと、フェルール１７用の貫通孔２ｂが４箇所にあり、該貫通孔２ｂのそれぞれの後方に、コイルスプリング１４及びストップリング５の支持部材３が収納される収納部２ｃがあり、更にその後方に、前記ストップリング５のストッパ部材４を収納するとともに複数本の光フアイバ１６ａを後方に導出する大収納部２ｄがある。中心部の前後方向には、前記スクリューネジ用の取付孔２ｅが穿設されている。
【００２４】
一方、コネクタハウジング２における筒状体の外側には、相手方コネクタとの接続の際に、嵌合位置決めとなる凹部２ｆと、後述のカップリングナット６の抜止め用突部２ｇと、２箇所に設けた取付用係止片２ｈとが設けられている。
【００２５】
前記コネクタハウジング２には、図１乃至図２に示すように、後方から前方へと差し込まれ内周壁面にネジ溝が刻設されたカップリングナット６が装着され、その後に、２つ割りにされ複数本の光ファイバ１６ａを束ねるケースとしてのプラグケース７が後方にネジで固着される。
【００２６】
このようにして構成される本発明に係る光コネクタ用プラグ１は、その使用状態のシステム例として、図８に示すように、モニター等からの高速の映像信号を、中継器（Ｅ／Ｏ変換）で光信号に変えて、それを当該光コネクタ用プラグ１で、例えば１００ｍ程の遠くのモニター等に光ケーブル１６で、信号減衰率を抑えて伝達するものである。
【図面の簡単な説明】
【００２７】
【図１】本発明に係る光コネクタ用プラグ１の縦断面図（Ａ）、側面図（Ｂ）である。
【図２】同本発明の光コネクタ用プラグ１の正面図（Ａ）、側面図（Ｂ）である。
【図３】同光コネクタ用プラグ１におけるストップリング５の前方側から見た斜視図である。
【図４】同光コネクタ用プラグ１におけるストップリング５の後方側から見た斜視図である。
【図５】同ストップリング５の左側面図（Ａ）、半断面にして示す正面図（Ｂ）、右側面図（Ｃ）である。
【図６】同光コネクタ用プラグ１におけるコネクタハウジング２の正面図（Ａ）、左側面図（Ｂ）、右側面図（Ｃ）である。
【図７】図６（Ｂ）におけるＹ−Ｙ線に沿った断面図（Ａ）、Ｘ−Ｘ線に沿った断面図（Ｂ）である。
【図８】光コネクタ用プラグ１の使用例を示す平面図（Ａ）、側面図（Ｂ）である。
【図９】従来例に係る光コネクタ用プラグの縦断面図である。
【図１０】従来例の光コネクタ用プラグにおけるストッパ１２の左側面図（Ａ）、正面図（Ｂ）、右側面図（Ｃ）である。
【図１１】図１０（Ａ）におけるＺ−Ｚ線に沿った断面図である。
【図１２】同リング１３の側面図（Ａ）、半断面にして示す正面図（Ｂ）である。
【符号の説明】
【００２８】
１          光コネクタ用プラグ、
２          コネクタハウジング、          ２ａ              隔壁、
２ｂ        貫通孔、                      ２ｃ              収納部、
２ｄ        大収納部、                    ２ｅ              取付孔、
２ｆ        凹部、                        ２ｇ              突部、
２ｈ        取付用係止片、
３          支持部材、                    ３ａ              受け座、
３ｂ        貫通孔、                      ３ｃ              スリット、
４          ストッパ部材、                ４ａ              導出部、
４ｂ        スリット、                    ４ｃ              取付孔、
４ｄ        段部、                        ４ｅ              面取り部、
５          ストップリング、
６          カップリングナット、
７          プラグケース、
１１        コネクタハウジング、
１２        ストッパ、
１３        リング、
１４        コイルスプリング、
１５        スクリューネジ、
１６        光ケーブル、                  １６ａ            光ファイバ、
１７        フェルール、                  １７ａ            鍔部。
【図１】
2006259245.tif 000003
【図２】
2006259245.tif 000004
【図３】
2006259245.tif 000005
【図４】
2006259245.tif 000006
【図５】
2006259245.tif 000007
【図６】
2006259245.tif 000008
【図７】
2006259245.tif 000009
【図８】
2006259245.tif 000010
【図９】
2006259245.tif 000011
【図１０】
2006259245.tif 000012
【図１１】
2006259245.tif 000013
【図１２】
2006259245.tif 000014